(57)【要約】【課題】体幹と腕によるクラブヘッドの操作感覚を効率的に鍛えられるゴルフスイング練習用具を提供する。【解決手段】ゴルフスイング練習用具１０は、錘部２０とグリップ部３０とグリップエンド４０が一体に成形され、全重が３ｋｇ以上であって全長が３００ｍｍ以下である。錘部２０の重心が、グリップ部３０の長手方向の軸Ａ上にある。グリップ部３０は長手方向の長さが１６０〜２２０ｍｍ、外径が１８〜３５ｍｍであり、その長手方向の中央部からグリップエンド４０にかけて徐々に太径になっており、グリップエンド４０は、グリップ部３０の最大外径よりもさらに大きい最大外径を有する。【選択図】    図１
0003188102.tif 000002
【実用新案登録請求の範囲】
【請求項１】
錘部とグリップ部とグリップエンドが一体に成形されたゴルフスイング練習用具であって、全重量が３ｋｇ以上、全長が３００ｍｍ以下であり、
錘部の重心が、グリップ部の長手方向の軸上にあり、
グリップ部は、長手方向の長さが１６０〜２２０ｍｍ、外径が１８〜３５ｍｍであり、長さ方向の中央部からグリップエンドにかけて徐々に太径になっており、
グリップエンドは、グリップ部の最大外径よりもさらに大きい最大外径を有するゴルフスイング練習用具。
【請求項２】
該ゴルフスイング練習用具を使用者の腕につなげるストラップを備える請求項１に記載のゴルフスイング練習用具。
【考案の詳細な説明】
【技術分野】
【０００１】
本考案は、両腕で握ってスイングするゴルフスイング練習用具に関する。
【背景技術】
【０００２】
ゴルフスイングの練習用具として、手で握ってスイングするものがいくつか開発されている。例えば、実際のゴルフクラブの全長に近い長尺のもの（特許文献１）、全重が５００ｇ〜２ｋｇであって片手でスイングする鉄アレイ状のもの（特許文献２）、ゴルフヘッド形状の錘をネジで握柄に固定したもの（特許文献３）、水を入れた透明容器をグリップに螺合させたもの（特許文献４）がある。
【先行技術文献】
【特許文献】
【０００３】
【特許文献１】実公平６−６８５１号公報
【特許文献２】特開２００４−３２１７５６号公報
【特許文献３】特開昭５８−１３８４７０号公報
【特許文献４】実用新案登録第３０７８４７８号公報
【考案の概要】
【考案が解決しようとする課題】
【０００４】
しかしながら、従来のスイング練習用具では、ゴルフクラブを安定的にスイングできるように筋力を鍛え、かつ、クラブヘッドの操作感覚を体幹と腕で効率的に体得することはできなかった。
【課題を解決するための手段】
【０００５】
本考案者は、ゴルフのスイングを上達するためには、スイング練習用具の全重量を３ｋｇ以上とし、かつスイング用具の全長を３００ｍｍ以下としてスイング練習用具の重心を握りの位置に十分に近くし、さらにグリップ部の外径を長さ方向の中央部からグリップエンドにかけて徐々に太径にすると、グリップ部を両手で握ってスイングすることにより、体幹と腕によるクラブヘッドの操作感覚を効率的に習得でき、また、スイングに必要な筋力も鍛えられることを見出した。
【０００６】
そこで、本考案は、錘部とグリップ部とグリップエンドが一体に成形されたゴルフスイング練習用具であって、全重量が３ｋｇ以上、全長が３００ｍｍ以下であり、
錘部の重心が、グリップ部の長手方向の軸上にあり、
グリップ部は、長手方向の長さが１６０〜２２０ｍｍ、外径が１８〜３５ｍｍであり、長さ方向の中央部からグリップエンドにかけて徐々に太径になっており、
グリップエンドは、グリップ部の最大外径よりもさらに大きい最大外径を有するゴルフスイング練習用具を提供する。
【考案の効果】
【０００７】
本考案のゴルフスイング練習用具によれば、全重量が３ｋｇ以上、全長が３００ｍｍ以下であり、錘部の重心がグリップ部の長手方向の軸上にあることによって、体幹と腕によるクラブヘッドの操作感覚を効果的に体得することができる。また、ゴルフクラブを安定的に振るために必要な筋力も効果的に鍛えることができる。
【０００８】
さらに、グリップ部は、その長さ方向の中央部からグリップエンドにかけて外径が徐々に大きくなり、テーパー状となっていることにより、ゴルフスイング練習用具のスイング時の遠心力によりグリップ部をしっかりと握ることができる。また、グリップエンドは、グリップ部の最大外径よりもさらに大きい最大外径を有するので、スイング中にグリップ部が手の握りからすり抜け難い。したがって、手の握力が弱い女性等でも体幹と腕によるクラブヘッドの操作感覚を培うことが可能になる
また、錘部、グリップ部、及びグリップエンドは、一体成形されているために、錘をネジで握柄に固定するような構成と比べて外部から力が加わっても壊れにくい。
【図面の簡単な説明】
【０００９】
【図１】本考案の一実施形態のゴルフスイング練習用具１０の斜視図である。
【図２】本考案の一実施形態のゴルフスイング練習用具１０の本体の側面図である。
【考案を実施するための形態】
【００１０】
以下、図１及び図２を参照して、本考案の一実施形態のゴルフスイング練習用具１０を説明する。なお、各図中、同一符号は同一または同等の構成要素を表している。ゴルフスイング練習用具１０は、錘部２０、グリップ部３０、及びグリップエンド４０が鉄等の金属で一体成形されてなる本体と、本体につながれたストラップ５０とを有する。
【００１１】
ゴルフスイング練習用具１０は、全重量が３ｋｇ以上である。これにより、ゴルフクラブを安定的に振るための筋肉を効率よく鍛えることができ、さらに、体幹と腕によりゴルフスイング練習用具１０の重みを体得し、体幹と腕によるクラブヘッドの操作感覚を効果的に培うことができる。ゴルフスイング練習用具１０の全重量は、重すぎると振るのが困難になるので、６ｋｇ以下であることが好ましく、より好ましくは３〜５ｋｇである。
【００１２】
ゴルフスイング練習用具１０の全長Ｌは、３００ｍｍ以下であり、より好ましくは２３０〜２７０ｍｍである。ゴルフスイング練習用具１０の全長Ｌが３００ｍｍを超えると、体幹と腕によるクラブヘッドの操作感覚を体得しにくくなる。
【００１３】
錘部２０の重心Ｇは略円柱状のグリップ部３０の長手方向の中心軸Ａ上にある。これによって、ゴルフスイング練習用具１０のグリップ部３０を両手で握ると、常に両腕の中心の延長上に錘部２０の重心Ｇが位置し、ゴルフスイング練習用具１０の重心と握りの位置とが近くなるので、ゴルフスイング練習用具１０の重量を無理なく体感でき、スイングしやすくなる。また、グリップ部３０をいずれの方向からも握れるようになる。これに対し、錘部２０がクラブヘッドの形状をしているなどにより、錘部２０の重心Ｇが、グリップ部３０の長手方向の軸Ａ上になかったり、ゴルフスイング練習用具の重心と握りの位置とが離れたりすると、スイング練習時にグリップ部３０を両手で握っても、スムーズにスイングをすることが難しくなる。
【００１４】
なお、本考案において「錘部２０の重心Ｇが軸Ａ上にある」とは、厳密に錘部２０の重心Ｇが軸Ａ上にある場合に限らず、軸Ａの近傍にある場合、より具体的には、軸Ａから１０ｍｍ以内、特に好ましくは５ｍｍ以内にあることをいう。
【００１５】
錘部２０の重心Ｇを軸Ａ上とするためには、錘部２０の外形を、グリップ部３０の軸Ａを中心に対称的な形状とすることが好ましい。そこで、本実施形態では、錘部２０の形状を球形としている。この場合、錘部２０の外径ＬＷは１００〜１４０ｍｍ、特に１２０ｍｍ程度とすることが好ましい。この他、錘部２０の形状は、正多面体等としてもよい。また、錘部２０の外形には、ゴルフスイング練習用具１０を平面に置いたときに転がりにくくするため、小さな切り欠き等の回転防止形状を設けてもよい。
【００１６】
グリップ部３０は、両手で握れるように、その長手方向の長さ（グリップエンド４０の長さは含まない）ＬＧが１６０〜２２０ｍｍであり、外径は１８〜３５ｍｍである。なお、図２のＬＧにて示すように、グリップ部３０は、錘部２０又はグリップエンド４０により、外径が急激に大きくなる手前までの領域をいう。
【００１７】
グリップ部３０の外径は、一般的なゴルフクラブと同等程度でもよいが、外径が２６〜３５ｍｍとなるように一般的なゴルフクラブよりも少し大きくした方がゴルフスイング練習用具１０を手で握りやすくなるので好ましい。また、グリップ部３０は、長さ方向の中央部Ｍからグリップエンド４０にかけて徐々に太径になり、テーパー状となっている。グリップ部３０がこのような略テーパー状になっていることにより、グリップ部３０を握ってゴルフスイング練習用具１０をスイングすることにより生じる遠心力は、グリップ部３０の握りを太径の方にずらす方向に作用する。そのためスイング時にしっかりとグリップ部３０を握ることが可能となる。なお、このグリップ部３０の中央部Ｍからグリップエンド４０にかけての形状は、全体として徐々に太径になっていればよく、部分的に段が設けられていてもよい。したがって、グリップ部３０を握った手の滑りを防止する点からは、グリップ部３０の表面に、一般的な鉄アレイと同様に凹凸を設けることが好ましい。この他、滑り防止のため、グリップ部３０にはグリップテープを巻いてもよい。
【００１８】
グリップエンド４０は、グリップエンド４０に向かって徐々に太径になっているグリップ部３０の最大外径よりもさらに太くなっており、グリップエンド４０の最大外径は、グリップ部３０の最大外径よりも好ましくは６ｍｍ以上、より好ましくは１２ｍｍ以上大きくする。これによって、使用者が手の握力が弱い女性等でもスイングすることが可能になる。また、ゴルフスイング練習用具１０を握る力が弱くなってもグリップエンド４０が手に引っかかって、使用者がゴルフスイング練習用具１０を放り投げてしまうことを防ぐことができる。
【００１９】
本実施形態のグリップエンド４０の形状はグリップ部３０の軸Ａを中心に対称な円盤状形状になっているが、軸Ａに垂直な横断面が矩形形状でもよい。これにより、ゴルフスイング練習用具１０が転がりにくくなる。なお、その場合のグリップエンド４０の「最大外径」とは、前記横断面におけるグリップエンド４０の最大幅をいう。
【００２０】
本実施形態のグリップエンド４０には、ゴルフスイング練習用具１０をストラップ５０につなげるためのストラップ用穴４２が開いている。ストラップ５０は、紐固定部材５２、通し紐５３、紐体５４、及び環状部材５６を有しており、紐固定部材５２には通し紐５３と紐体５４が固定されている。
【００２１】
ストラップ用穴４２にはストラップ５０の通し紐５３が通っており、通し紐５３をストラップ用穴４２に通した後にストラップ５０全体を通し紐５３の輪に入れることによって、ストラップ５０がグリップエンド４０に取り付けられている。この構成によってゴルフスイング練習用具１０の本体からストラップ５０を取り外して容易に交換することができる。
【００２２】
ストラップ５０は、環状部材５６を用いて紐体５４の輪形成部分５８を小さくし、輪形成部分５８を腕の太さに合わせて紐体５４を腕につなぐことを可能とする。これにより、万一スイング中にゴルフスイング練習用具１０が手元から離れた場合でも、ゴルフスイング練習用具１０が飛んでいくことを防ぐことができ、また、不使用時にフック等に掛けておく際にも使用できる。
【００２３】
なお、本実施形態の錘部２０、グリップ部３０、及びグリップエンド４０の材質は、鉄等の金属である。これによって、適切な重さと強度を得ることができる。
【符号の説明】
【００２４】
１０ ゴルフスイング練習用具
２０ 錘部
３０ グリップ部
４０ グリップエンド
４２ ストラップ用穴
５０ ストラップ ５２ 紐固定部材
５３ 通し紐
５４ 紐体
５６ 環状部材
５８ 輪形成部分
Ｇ 錘部の重心
【図１】
0003188102.tif 000003
【図２】
0003188102.tif 000004